(57)【要約】      （修正有）【課題】回転子が大径通路内に著しく傾斜し、又は横方向へずれることがなく、液体が回転子の周辺を均一に通過可能であり、液体を均一に霧化可能な噴霧ノズル用回転子を提供する。【解決手段】流体を霧化するためのものであり、一端に入水口が設けられ、他端に噴霧穴が設けられ、大径通路２８が入水口と噴霧穴を連接する本体１０と、大径通路の内部に取り付けられ、ヘッド部３２と、ヘッド部と連接している身部３４と、を有する回転子３０と、回転子の身部の表面に形成され、大径通路と連通している流路と、を含み、流体は、入水口から大径通路に進入して、流路を通過して噴霧穴から噴出される。【選択図】図１
0003183112.tif 000002
【実用新案登録請求の範囲】
【請求項１】
流体を霧化するための噴霧ノズル用回転子であって、
一端に入水口が設けられ、他端に噴霧穴が設けられ、大径通路が前記入水口と前記噴霧穴を連接する本体と、
前記大径通路の内部に取り付けられ、ヘッド部と、前記ヘッド部と連接している身部と、を有する回転子と、
前記回転子の前記身部の表面に形成され、前記大径通路と連通している流路と、を含み、
前記流体は、前記入水口から前記大径通路に進入して、前記流路を通過して前記噴霧穴から噴出されることを特徴とする、
噴霧ノズル用回転子。
【請求項２】
前記回転子の前記身部の表面には、複数の膨らみ構造と、複数の溝構造と、が設けられ、前記各膨らみ構造は、互いに平行しており、前記身部の軸方向に位置し、その外縁が前記大径通路の壁面に接触し、前記複数の溝構造は、互いに隣接する二つの前記膨らみ構造の間にそれぞれ形成され、前記各溝構造は、前記膨らみ構造に平行しており、それぞれ前記流路に形成されることを特徴とする、請求項１に記載の噴霧ノズル用回転子。
【請求項３】
前記回転子の前記身部の表面は複数の突起を有し、隣接する前記突起の間に間隔があり、前記間隔により通路が形成され、前記各通路は互いに連通して前記流路を形成することを特徴とする、請求項１に記載の噴霧ノズル用回転子。
【請求項４】
前記回転子の前記身部の表面は螺旋構造を有し、前記螺旋構造は、突起部と、凹み部と、を有し、前記突起部は前記大径通路の壁面に接触し、前記凹み部は前記流路を形成することを特徴とする、請求項１に記載の噴霧ノズル用回転子。
【請求項５】
更に、水止めユニットを含み、前記水止めユニットは、前記大径通路の内部に取り付けられており、前記回転子の前記身部と前記本体の前記入水口の間に位置することを特徴とする、請求項１に記載の噴霧ノズル用回転子。
【請求項６】
前記回転子の前記身部の一端には、更に、連接ピンが延びており、前記連接ピンは前記水止めユニットと結合するためのものであることを特徴とする、請求項５に記載の噴霧ノズル用回転子。
【請求項７】
更に、水止めユニットを含み、前記水止めユニットは、前記大径通路の内部に取り付けられており、前記回転子の前記身部と前記本体の前記入水口の間に位置し、前記回転子の前記身部の一端には、更に、連接ピンが延びており、前記連接ピンは前記水止めユニットと結合するためのものであることを特徴とする、請求項２に記載の噴霧ノズル用回転子。
【請求項８】
更に、水止めユニットを含み、前記水止めユニットは、前記大径通路の内部に取り付けられており、前記回転子の前記身部と前記本体の前記入水口の間に位置し、前記回転子の前記身部の一端には、更に、連接ピンが延びており、前記連接ピンは前記水止めユニットと結合するためのものであることを特徴とする、請求項３に記載の噴霧ノズル用回転子。
【請求項９】
更に、水止めユニットを含み、前記水止めユニットは、前記大径通路の内部に取り付けられており、前記回転子の前記身部と前記本体の前記入水口の間に位置し、前記回転子の前記身部の一端には、更に、連接ピンが延びており、前記連接ピンは前記水止めユニットと結合するためのものであることを特徴とする、請求項４に記載の噴霧ノズル用回転子。
【請求項１０】
前記水止めユニットは、バネと、水止めプラグと、を含み、前記バネは前記回転子と連接するためのものであり、前記水止めプラグは前記入水口に対応することを特徴とする、請求項５に記載の噴霧ノズル用回転子。
【考案の詳細な説明】
【技術分野】
【０００１】
本考案は、液体を霧化するための噴霧ノズルに関し、特に、噴霧ノズル用回転子に関するものである。
【背景技術】
【０００２】
一般の噴霧ノズルは、本体と、前記本体の内部の通路に組み付けられる回転子と、を有する。液体は、前記本体に進入して、前記回転子と前記通路の間にある隙間を通過した後、前記本体の一端に設けられる噴霧穴から外部に噴出される。
【０００３】
液体が充分且つ均一に前記回転子と前記通路の間にある隙間を通過するために、前記回転子の外径が小さくされ、前記回転子と前記通路の間にある隙間が増大するようになる。
しかし、前記回転子と前記通路の間にある隙間を増大すると、前記回転子が前記通路内に傾斜し、又は横方向へずれ、これにより、前記回転子を正確な位置に定位することができず、噴霧効果が安定しない。
更に、前記回転子が前記通路の一側の壁面にずれている場合には、液体が前記回転子の周辺を均一に通過できず、液体を均一に霧化することができない。
【考案の概要】
【考案が解決しようとする課題】
【０００４】
本考案の主な目的は、回転子が通路内に著しく傾斜し、又は横方向へずれることがなく、液体が回転子の周辺を均一に通過可能であり、液体を均一に霧化可能な噴霧ノズル用回転子を提供することにある。
【課題を解決するための手段】
【０００５】
本考案の噴霧ノズル用回転子は、流体を霧化するためのものであり、一端に入水口が設けられ、他端に噴霧穴が設けられ、大径通路が入水口と噴霧穴を連接する本体と、大径通路の内部に取り付けられ、ヘッド部と、ヘッド部と連接している身部と、を有する回転子と、回転子の身部の表面に形成され、大径通路と連通している流路と、を含み、流体は、入水口から大径通路に進入して、流路を通過して噴霧穴から噴出されることを特徴とする。
【０００６】
本考案の噴霧ノズル用回転子は、回転子の身部の表面には、複数の膨らみ構造と、複数の溝構造と、が設けられ、各膨らみ構造は、互いに平行しており、身部の軸方向に位置し、その外縁が大径通路の壁面に接触し、複数の溝構造は、互いに隣接する二つの膨らみ構造の間にそれぞれ形成され、各溝構造は、膨らみ構造に平行しており、それぞれ流路に形成されることを特徴とする。
【０００７】
本考案の噴霧ノズル用回転子は、回転子の身部の表面は複数の突起を有し、隣接する突起の間に間隔があり、間隔により通路が形成され、各通路は互いに連通して流路を形成することを特徴とする。
【０００８】
本考案の噴霧ノズル用回転子は、回転子の身部の表面は螺旋構造を有し、螺旋構造は、突起部と、凹み部と、を有し、突起部は大径通路の壁面に接触し、凹み部は流路を形成することを特徴とする。
【０００９】
本考案の噴霧ノズル用回転子は、更に、水止めユニットを含み、水止めユニットは、大径通路の内部に取り付けられており、回転子の身部と本体の入水口の間に位置することを特徴とする。
【００１０】
本考案の噴霧ノズル用回転子は、回転子の身部の一端には、更に、連接ピンが延びており、連接ピンは水止めユニットと結合するためのものであることを特徴とする。
【００１１】
本考案の噴霧ノズル用回転子は、更に、水止めユニットを含み、水止めユニットは、大径通路の内部に取り付けられており、回転子の身部と本体の入水口の間に位置し、回転子の身部の一端には、更に、連接ピンが延びており、連接ピンは水止めユニットと結合するためのものであることを特徴とする。
【００１２】
本考案の噴霧ノズル用回転子は、水止めユニットは、バネと、水止めプラグと、を含み、バネは回転子と連接するためのものであり、水止めプラグは入水口に対応することを特徴とする。
【考案の効果】
【００１３】
本考案の噴霧ノズル用回転子は、回転子が大径通路内に著しく傾斜し、又は横方向へずれることがなく、液体が回転子の周辺を均一に通過可能であり、液体を均一に霧化可能であるという効果を有する。
【図面の簡単な説明】
【００１４】
【図１】本考案の一実施例を示す分解斜視図である。
【図２】本考案の一実施例の組合済み状態を示す模式図である。
【図３】本考案の回転子と大径通路の配置を示す模式図である。
【図４】本考案の一実施例の使用状態を示す模式図である。
【図５】本考案の回転子の表面の別の実施例を示す図である。
【図６】本考案の回転子の表面の更に別の実施例を示す図である。
【考案を実施するための形態】
【００１５】
以下、本考案の実施の形態を図面に基づいて説明する。
図１を参照する。図１は本考案の一実施例を示す分解斜視図である。本考案の噴霧ノズルは、本体１０と、回転子３０と、水止めユニット４０と、を有する。更に、本体１０は、第１部材１２と、第２部材１４と、から構成される。本体１０の構成は図１に示した構成に限定されない。
【００１６】
また、回転子３０と水止めユニット４０は、本体１０の軸方向に沿うように本体１０の内部に順次に取り付けられる。
【００１７】
図２を参照する。図２は本考案の一実施例の組合済み状態を示す模式図である。本体１０の第１部材１２の軸方向の一端は入水口１６を有する。第１部材１２の軸方向の内部は、入水通路１８と、第１収容通路２０と、を有する。入水通路１８は、一端に入水口１６が連接されており、他端に第１収容通路２０が連接されている。
【００１８】
入水通路１８の内径は第１収容通路２０の内径よりも小さいため、入水通路１８と第１収容通路２０の連接箇所で、止め縁２２が形成される。
【００１９】
本体１０の第２部材１４の端面に噴霧穴２４が設けられ、第２部材１４の軸方向の内部は第２収容通路２６を有する。第２収容通路２６は噴霧穴２４と連通する。
【００２０】
第１部材１２が第２部材１４に結合されており、これにより、入水通路１８と第１収容通路２０と第２収容通路２６とから大径通路２８が形成される。
【００２１】
図１及び図２に示すように、回転子３０と水止めユニット４０は大径通路２８の内部に取り付けられている。回転子３０は、ヘッド部３２と、身部３４と、を含む。ヘッド部３２は身部３４の一端に位置する。また、身部３４の他端から連接ピン３６が延びている。
【００２２】
更に、ヘッド部３２と連接ピン３６との外径は身部３４の外径よりも小さい。また、身部３４の表面は複数の膨らみ構造３８を有する。各膨らみ構造３８は、互いに平行しており、身部３４の軸方向に対応する。また、隣接する二つの膨らみ構造３８の間に溝構造３９が設けられる。換言すると、回転子３０の身部３４の表面は、複数の膨らみ構造３８と、複数の溝構造３９と、を有する。
【００２３】
水止めユニット４０は、バネ４２と、水止めプラグ４４と、を含む。バネ４２と水止めプラグ４４が組み合わせられて本体１０の内部に取り付けられている。バネ４２は、連接ピン３６を押付けており、又は連接ピン３６と結合している。バネ４２の弾力により、水止めプラグ４４は止め縁２２に押付けられている。
【００２４】
図３を参照する。図３は本考案の回転子と大径通路の配置を示す模式図である。回転子３０が大径通路２８の内部に取り付けられているときには、回転子３０の表面にある膨らみ構造３８が大径通路２８の内壁面に接触可能である。このように、回転子３０は大径通路２８内に著しく傾斜し、又は横方向へずれることがない。また、流体は、溝構造３９と大径通路２８の内壁面の間にある隙間を通過可能である。
【００２５】
図４を参照する。図４は本考案の一実施例の使用状態を示す模式図である。流体が入水口１６から入水通路１８に進入するときには、水止めプラグ４４が押えられて止め縁２２から分離する。このとき、流体は第１収容通路２０に進入可能である。回転子３０は大径通路２８の内部に安定に取り付けられており、且つ流体の流動により回転子３０が大径通路２８内に著しく傾斜し、又は横方向へずれることがないため、噴霧ノズルの噴霧が極めて安定する。
【００２６】
図３に示すように、本考案の回転子３０の表面には、流体がスムーズに通過可能な少なくとも一つの流路５０が形成され、これは滑らかな表面を有する従来の回転子と相違する。また、稼動している回転子３０が著しく傾斜し、又は横方向へずれることがないようにするために、大径通路２０の内壁面に回転子３０の周面を出来る限り近接させることによって、回転子３０の稼動時の安定性を向上させることができる。
【００２７】
図５を参照する。図５は本考案の別の実施例における回転子の表面を示す図である。回転子３０の表面は螺旋構造５２を有する。螺旋構造５２は、突起部５４と、凹み部５６と、を有する。凹み部５６は螺旋構造５２のピッチによって構成される。凹み部５６により流路５０と大径通路２８が連通する。螺旋構造５２は、シングルスレッド、又はダブルスレッドを採用する。
【００２８】
図６を参照する。図６は本考案の更に別の実施例における回転子の表面を示す図である。回転子３０の表面は複数の突起５８を有し、隣接する突起５８の間に間隔があり、前記間隔により通路６０が形成され、各通路６０は互いに連通して流路５０を形成する。流路５０の両端は大径通路２８と連通する。回転子３０の表面にある突起５８は、大径通路２８の内壁面に近接し、又は接触する。突起５８と通路６０の組合は、エッチング加工、又はエンボス加工によって形成される。
【００２９】
以上、本考案の特定の例を参照して説明したが、これらの例は、説明のみを目的とするものであり、本考案を限定するものではない。
この分野における通常の知識を有する者は、本考案の要旨および実用新案登録請求の範囲を逸脱することなく、ここで開示された実施例に変更、追加、または、削除を施すことができる。
【符号の説明】
【００３０】
１０  本体
１２  第１部材
１４  第２部材
１６  入水口
１８  入水通路
２０  第１収容通路
２２  止め縁
２４  噴霧穴
２６  第２収容通路
２８  大径通路
３０  回転子
３２  ヘッド部
３４  身部
３６  連接ピン
３８  膨らみ構造
３９  溝構造
４０  水止めユニット
４２  バネ
４４  水止めプラグ
５０  流路
５２  螺旋構造
５４  突起部
５６  凹み部
５８  突起
６０  通路
【図１】
0003183112.tif 000003
【図２】
0003183112.tif 000004
【図３】
0003183112.tif 000005
【図４】
0003183112.tif 000006
【図５】
0003183112.tif 000007
【図６】
0003183112.tif 000008